【事件の表示】
　上記当事者間の特許第４５０２０５０号発明「椅子」の特許無効審判事件について、次のとおり審決する。
【結　論】
　本件審判の請求は、成り立たない。
　審判費用は、請求人の負担とする。
【理　由】
第１　手続の経緯
　本件特許第４５０２０５０号に係る発明についての出願（以下「本件出願」という。）は、平成１４年１２月１２日に出願した特願２００２−３６１１３２号の一部を平成２０年７月２４日に新たな特許出願としたものであって、平成２２年４月３０日にその発明について特許の設定登録がなされた。　
　以後の本件に係る手続の概要は、以下のとおりである。 
　　平成２２年　９月３０日　本件無効審判の請求
　　平成２２年１２月１７日　答弁書
　　平成２３年　２月　２日　審理事項通知書
　　平成２３年　２月２４日　口頭審理陳述要領書（請求人、被請求人）
　　平成２３年　３月　４日　上申書（請求人）
　　平成２３年　３月１０日　口頭審理
　　平成２３年　３月２４日　上申書（２）（請求人）
　　平成２３年　４月　７日　上申書（被請求人）
　　平成２３年　４月１４日　上申書（３）（請求人）
　
第２　本件特許発明
　本件特許第４５０２０５０号の請求項１ないし６に係る発明は、特許明細書及び図面の記載からみて、その特許請求の範囲の請求項１ないし６に記載された次のとおりのものと認める。
　
「【請求項１】
脚の上端に設けた座支持部に第１リンク要素と第２リンク要素とを設けるとともに座の座受を前記第１リンク要素と第２リンク要素とに接続し、前記座支持部、前記第１リンク要素、前記座受、及び、前記第２リンク要素を構成要素とするリンク機構により座を背もたれと連動してロッキング動作可能に構成した椅子であって、
左右１対の縦杆と、前記背もたれの上部に位置させてこれら縦杆をつなぐように横架させた横杆とを有する背もたれフレームの前面に、背もたれ面を形成する張り部材を前記横杆から離間させた状態で取り付けるとともに、前記横杆に、後方に向けて凸となるように湾曲したハンガー本体とハンガー支柱とを具備するハンガー部をハンガー取り付け具を介して取り付けるようにしており、
前記ハンガー支柱がこのハンガー取り付け具の後部から上方に延伸させて設けられたものであり、このハンガー支柱の上端に設けられたハンガー本体を後方に向けて凸となるように湾曲した背もたれの上端から後上方に離間した場所に位置させており、
側面視において、前記背もたれの張り部材の上端を支持する枠材が、前記ハンガーを取り付けている前記横杆よりも上方において後方に屈曲しており、平面視において、前記ハンガー本体の前面の湾曲度合を、前記背もたれの上端の湾曲度合よりも大きくすることによって、平面視における前記ハンガー本体の両端部と前記背もたれの上端との間に形成される隙間が前記ハンガー本体の中央部と前記背もたれの上端との間に形成される隙間よりも狭くなるように設定されていることを特徴とする椅子。」（以下「本件特許発明１」という。）
　
「【請求項２】
　前記ハンガー支柱の下端に、横杆に取り付け可能なハンガー取り付け具を設けるとともに、ハンガー取り付け具を前記横杆に取り付け、横杆よりも上方にハンガー本体を取り付けたことを特徴とする請求項１記載の椅子。」（以下「本件特許発明２」という。）
　
「【請求項３】
　前記ハンガー本体を、前記背もたれフレームよりも後方に配置している請求項１又は２記載の椅子。」（以下「本件特許発明３」という。）
　
「【請求項４】
　前記ハンガー支柱の下端に、横杆に取り付け可能なハンガー取り付け具を設け、前記ハンガー取り付け具後部から前記ハンガー支柱を上方に延伸させているとともに、前記ハンガー本体を前記背もたれフレームの縦杆よりも後方に位置させている請求項３記載の椅子。」（以下「本件特許発明４」という。）
　
「【請求項５】
　前記ハンガー支柱から前記ハンガー本体を左右に延伸させて設けているとともに、ハンガー本体の全幅寸法を背もたれの幅寸法と略同等とした請求項１、２、３又は４記載の椅子。」（以下「本件特許発明５」という。）
　
「【請求項６】
　前記ハンガー本体を、側面視において背もたれの上端における背もたれ面の延長上に配置している請求項１、２、３、４又は５記載の椅子。」（以下「本件特許発明６」という。）
　
第３　請求人主張の概要
　請求人は、審判請求書において、「特許第４５０２０５０号の『特許請求の範囲』における請求項１、請求項２、請求項３、請求項４、請求項５及び請求項６に係る発明についての特許を無効とする。審判費用は被請求人の負担とする。」との審決を求め、審判請求書、口頭審理陳述要領書、口頭審理、上申書（２）、上申書（３）を総合すると、請求人が主張する無効理由は、概略、次のとおりのものである。
　
　甲第２号証には、本件特許の請求項１に記載された事項のうち「脚の上端に設けた座支持部に第１リンク要素と第２リンク要素とを設けるとともに座の座受を前記第１リンク要素と第２リンク要素とに接続し、前記座支持部、前記第１リンク要素、前記座受、及び、前記第２リンク要素を構成要素とするリンク機構により座を背もたれと連動してロッキング動作可能に構成した椅子」、「左右１対の縦杆と、前記背もたれの上部に位置させてこれら縦杆をつなぐように横架させた横杆とを有する背もたれフレームの前面に、背もたれ面を形成する張り部材を前記横杆から離間させた状態で取り付ける」こと及び「側面視において、前記背もたれの張り部材の上端を支持する枠材が、前記ハンガーを取り付けている前記横杆よりも上方において後方に屈曲」することが記載されており、甲第１号証には、請求項１に記載されたその余の事項及び請求項２ないし６に記載された事項が記載されているから、本件特許発明１ないし６は、甲第１号証に記載された発明及び甲第２号証に記載された発明を組み合わせたものであって、これらの組み合わせに何ら困難性はなく、作用効果においても差異はないから、特許法第２９条第２項の規定により特許を受けることができない。　
　
［証拠方法］
　甲第１号証：「オカムラ総合カタログ　２００３年度版」、株式会社岡村製作所、２００３年１月、表紙、目次、ｐ．２１５−２１７、２４１、２４３、奥付、背表紙
　甲第２号証：特開２００２−１１９３６８号公報
　甲第３号証：デ公証第１００４号「カタログの公知日証明書」、社団法人　日本デザイン保護協会、２０１０年８月２４日
　　　
第４　被請求人主張の概要
　被請求人は、答弁書において、「本件審判の請求は成り立たない、審判費用は請求人の負担とする」との審決を求め、答弁書、口頭審理陳述要領書、口頭審理、上申書を総合すると、概略、次のとおり主張する。
　
　甲第１号証には、請求項１に記載された事項のうち、少なくとも「ハンガー支柱がこのハンガー取り付け具の後部から上方に延伸させて設けられたもの」であること及び「平面視における前記ハンガー本体の両端部と前記背もたれの上端との間に形成される隙間が前記ハンガー本体の中央部と前記背もたれの上端との間に形成される隙間よりも狭くなるように設定されていること」が記載されているか不明であるから、本件特許発明１ないし６は、甲第１号証及び甲第２号証のいずれにも記載されていない事項を備えており、甲第１号証及び甲第２号証をいかに組み合わせても、当業者が容易に想到し得ないものである。
　
第５　甲各号証について　
　１　甲第１号証　　
　甲第１号証の表紙には、「オカムラ総合カタログ２００３」の記載とともに、「日本デザイン保護協会　受入　’０２．１２．０９」との印影があり、その印影の下に「Ｃ２００２０１０２５」との文字が付されている。
　
　また、甲第１号証には、写真及び図面とともに、以下の記載がある。
（１）「０６
　　　　エルゴノミック
　　　　メッシュチェア
　　　　２１４→２１９」（目次）
　
（２）「０７
　　　　オフィスシーティング
　　　　２２０→２６９」（目次）
　
（３）「エルゴノミックメッシュチェア　コンテッサ」（２１５ページ右端、２１６ページ左端、２１７ページ右端）
　
（４）上側に小さく「コンテッサ」と添えられた「Ｃｏｎｔｅｓｓａ」（２１５ページ上端、２１６ページ上端、２１７ページ上端）
　
（５）「なめらかにシェイプされたアルミフレーム。色鮮やかなメッシュ素材の背と座。ふたつのコンビネーションは、見るものに軽快感や透明感、心地よさと同時に強烈な個性と存在感を感じさせます。」（２１５ページ右側中程）
　
（６）「流れるようなやさしいラウンドフォルムで形づくられたフレームと脚。」（２１５ページ右側中程）
　
（７）「上着を掛けたときも椅子全体としての美しさのバランスがくずれない、スタイリッシュなハンガーをオプションとして用意しました。ハンガー（オプション）」（２１７ページ右側下方中央）　
　
（８）「快適な座り心地とシンクロリクライニング機構に加え、座ったままの自然な姿勢で、日常使う基本的な調整が簡単に行える『スマートオペレーション』を実現しました。
（中略）また、アームレストの上下・回転やロッキングの強弱に加え、ランバーサポートの前後・上下、ヘッドレストのポジションを瞬時に調整できます。」（２１７ページ左側上方）
　
（９）「オフィスシーティング　フィーゴ」（２４１ページ右端、２４３ページ右端）
　
（１０）上側に小さく「フィーゴ」と添えられた「エルゴノミクスメッシュチェアｆｅｅｇｏ」（２４１ページ上端、２４３ページ上端）
　
（１１）「ハンガー
　　　　　（オプション）
　　　　　上着をかける時は上
　　　　　方へスライドさせて
　　　　　使用します。上下ス
　　　　　ライド７５ｍｍ。」（２４１ページ左側下方）
　
（１２）「株式会社　岡村製作所
　　　　　オカムラ総合カタログ　２００３年度版
　　　　　２００２年１２月印刷　２００３年１月発行」（奥付）
　
　また、甲第１号証の２１５〜２１７ページの写真及び図面には、上記記載事項（１）、（３）及び（４）からみて、「コンテッサ」という名称の椅子（以下「コンテッサ」という。）が示されている。そして、上記記載事項（５）ないし（８）と併せみると、次の事項が開示されている。
　
（１３）２１５ページ左側下方の写真には、コンテッサの背もたれの背面側両側に沿って、左右一対のアルミフレームの縦部材が背もたれから離間して設けられ、
　アルミフレームの縦部材の上端が背もたれに連結するとともに、背もたれから離間し湾曲したアルミフレームの水平部材で連結されることが開示されている。
　
（１４）２１５ページ上方に掲載された複数の写真のうち右から４番目の写真における背もたれの上端及びアルミフレームの水平部材が紙面上方に湾曲する点、２１５ページ左側下方の写真における背もたれの上端及びアルミフレームの水平部材が紙面右斜め上方に湾曲する点、２１６ページ上方の２つの写真とその各正面図において背もたれの上端及びアルミフレームの水平部材が紙面上方へ湾曲し、その各側面図において背もたれの上端及びアルミフレームの水平部材が紙面右斜め上に傾斜する点、２１７ページ右側上から２段目右側の、背面側上方から撮影した「ネオグレー」の写真おいて背もたれの上端及びアルミフレームの水平部材が紙面下方に湾曲する点を総合すると、これらの写真及び図面には、
　コンテッサの背もたれの上端及びアルミフレームの水平部材が後上方に向けて凸となるように湾曲していることが開示されている。
　
（１５）２１７ページ右側上から４段目中央の「ハンガー（オプション）」の写真は、コンテッサを背面側上方やや側方から、ハンガー、背もたれの上端及びアルミフレームの水平部材を同じ方向から撮影したものといえ、この写真には、
　ハンガーが、湾曲したハンガーの水平部材と中間部で屈曲した一対のハンガーの縦部材を具備し、
　一対のハンガーの縦部材が、アルミフレームの水平部材に後斜め上方に向けて傾斜させて取り付けられ、中間部で屈曲して上方に延びて、アルミフレームの水平部材より上方に設けられており、
　ハンガーの水平部材が、ハンガーの縦部材の上端に設けられ、アルミフレームの水平部材及び背もたれの上端と間隔をあけて略同様の方向に湾曲するとともに、背もたれの上端から上方に離間した場所に位置することが開示されている。
　
　上記記載事項（５）ないし（８）及び上記開示事項（１３）ないし（１５）を総合し、整理すると、甲第１号証には、コンテッサに関して、次の発明（以下「甲第１号証のコンテッサに係る発明」という。）が記載されていると認められる。
　
「ロッキング動作可能な椅子であって、
　左右一対のアルミフレームの縦部材と、これらアルミフレームの縦部材をつなぐように横架したアルミフレームの水平部材とを有するアルミフレームと、
　アルミフレームの水平部材に、湾曲したハンガーの水平部材と、アルミフレームの水平部材に後斜め上方に向けて傾斜させて取り付けられ中間部で屈曲し上方に延びるハンガーの縦部材とを具備するハンガーを取り付け、
　前記ハンガーの縦部材がアルミフレームの水平部材から上方に設けられたものであり、
　前記ハンガーの縦部材の上端に設けられたハンガーの水平部材を背もたれの上端から上方に離間した場所に位置させること。」
　
　また、甲第１号証の２４１ページ及び２４３ページの写真及び図面には、上記記載事項（１）、（９）及び（１０）からみて、「フィーゴ」という名称の椅子（以下「フィーゴ」という。）が示されており、次の事項が開示されている。
　
（１７）２４１ページ左側下方の「ハンガー（オプション）」の写真、２４３ページ左側から２列目のハンガーを備えた「シームレスタイプ」の各写真、２４３ページ右側上から２段目の「シームレスタイプバックビュー（ハンガー付）」の写真、２４３ページ右側下方の正面図及び側面図を総合すると、これらの写真及び図面には、
　フィーゴの背もたれの背面にハンガーをハンガー取り付け具を介して取り付け、
　ハンガーが、湾曲したハンガーの水平部材とＵ字状のハンガーの縦部材を具備し、
　Ｕ字状のハンガーの縦部材の２本の直線部分が、下端から中間部にかけて上方へ延び、中間部で屈曲し上端にむけて後方かつ左右それぞれの側へ延びるともに、その上端にハンガーの水平部材を設け、
　ハンガーの水平部材が、背もたれの上端と間隔をあけて略同様の方向に湾曲するともに、背もたれの上端から後上方に離間した場所に位置することが開示されている。
　　
（１８）２４１ページ中央下方の「ハンガー使用状態」の写真には、ハンガー使用状態において、上着は背もたれの上端より後方で、背もたれの背面に沿って掛止されることが開示されている。
　
（１９）２４３ページ右側下方の正面図には、フィーゴのハンガーの縦部材からハンガーの水平部材を左右に延伸させて設けることが開示されている。　
　上記記載事項（１１）及び上記開示事項（１７）ないし（１８）を総合し、整理すると、甲第１号証には、フィーゴに関して、次の発明（以下「甲第１号証のフィーゴに係る発明」という。）が記載されていると認められる。　
「背もたれの背面に、湾曲したハンガーの水平部材と、下端から中間部にかけて上方へ延び、中間部で屈曲し上端にむけて後方かつ左右それぞれの側へ延びる２本の直線部分を有したＵ字状のハンガーの縦部材とを具備するハンガーをハンガー取り付け具を介して取り付け、
　前記ハンガーの縦部材の２本の直線部分の上端に設けられたハンガーの水平部材を背もたれの上端から後上方に離間した場所に位置させた椅子。」
　
　２　甲第２号証
　甲第２号証は、本件出願のもとの特許出願の出願前に頒布された刊行物であり、図面とともに、以下の記載がある。
　
（１）「【００１１】
【発明の実施の形態】以下、本発明の一実施の形態について図面を参照して説明する。図１は、本発明の一実施の形態を示す椅子１の要部を示す斜視図であり、図２は、椅子１の背面を示した図である。
【００１２】この椅子１は、ベース脚２に取り付けられた支基３と、この支基３に取り付けられたリンク６およびリンク７とを設け、更に、このリンク６およびリンク７に取り付けられた着座部を構成する着座フレーム４と、この着座フレーム４の後方に設けられた背もたれフレーム５とを設けて成るものである。また、これ以外に適宜クッション４１などを取り付けて構成するようにしているが、本実施の形態では、このクッション４１を省略して説明する。
【００１３】支基３は、逆三角形状のアルミ部材で構成したものであり、その下側をベース脚２に取り付けるとともに、その先端部分に軸６１を介してリンク６を取り付けて構成したものである。このリンク６は、着座フレーム４の前方両側の軸４０および軸６１とによって回転しながら動くようにしたものであり、また、このリンク６の上端に設けられた軸４０には、支基３との間にガススプリング９０を設けて、図示しないレバーの操作によって、このガススプリング９０を固定状態とフリー状態とに切り替えて背もたれフレーム５の傾きを変えられるようにしている。また、支基３の略中央部分には、トーションバー７２が設けられており、この延長方向にある軸７１にリンク７の一端を固定するようにしている。このリンク７は、軸７１から斜め後方に延びる金属部材によって構成されたものであり、このリンク７の他端側を着座フレーム４の後部に設けられたフレーム部分に回転可能に取り付けるようにしたものである。なお、このリンク７は、トーションバー７２の弾性力によってリンク７の軸８側を椅子１の前方側（Ｂ側）に回転させるようにしている。
【００１４】また、このリンク７の上部裏面側には、背もたれ上部フレーム５５との間にガススプリング９１を取り付けており、常時このガスの力によって背もたれ上部フレーム５５を前方側（Ｂ側）に押圧するようにしている。また、このガススプリング９１の近傍には、ガススプリング９１の軸を挟み込んで固定するための図示しない機構が設けられており、この機構によってガススプリング９１をフリー状態と固定状態とに切り替えられるようにしている。
【００１５】また、このように軸８を介して取り付けられた背もたれ上部フレーム５５の内側には、リンク７に設けられた軸７０を介して背もたれ下部フレーム５０を回転可能に取り付けている。」（段落【００１１】〜段落【００１５】前半）
　
（２）「【００１６】背もたれ上部フレーム５５は、椅子１の背面側に露出して設けられたものであり、軸８から連結部５３の下方を通ってその後方で屈曲させ、二本の背もたれ下部フレーム５０の間の後方を通って、着座部の肘付近の上方まで縦フレーム部分５６を延ばすようにしたものである。また、この縦フレーム部分５６の上部側に、左右のフレームを連結するための連結部５５ｄを設け、この連結部５５ｄの部分から互いのフレームを広げるように前方に屈曲させて肩縦フレーム部分５７を設けるとともに、その上端部に連結部５５ｕを設けることによって、全体として背もたれ上部フレーム５５を構成するようにしている。このように、連結部５５ｄ、５５ｕおよび左右の肩縦フレーム部分５７によって構成されるループ状の肩支持部を左右の縦フレーム部分５６の上部に設けることによって、背もたれ上部フレーム５５に対する捩れを防止して強度を保たせるとともに、この背もたれ上部フレーム５５を露出させることによって、連結部５５ｄ付近に手を掛けて椅子１の持ち運びを容易にできるようにしている。また、この連結部５５ｕには、背もたれ下部フレーム５０に設けられた弾性片９３ｄに対向して薄板状の弾性片９３ｕが取り付けられており、この弾性片９３ｕの自由端側を、対向する弾性片９３ｄの自由端上にオーバーラップさせるようにしている。
【００１７】この弾性片９３ｕ・９３ｄには、その上部もしくはこの弾性片９３ｕ、９３ｄを包むように張り部材９が設けられており、この張り部材９によって着座者の肘の動きを拘束しないような身体接触面を構成するようにしている。すなわち、この張り部材９は、その下端部を弾性片９３ｄとともに連結部５３に取り付けられており、また、上端部についても、軸７１もしくは軸８によって選択的に回転しうる背もたれ上部フレーム５５の連結部５５ｕに弾性片９３ｕと共に取り付けられている。これによって、張り部材９と背もたれ上部フレーム５５との間に形成された空間部Ｓに向けて肘近傍の左右側縁を自由に撓ませるようにしている。」（段落【００１６】〜段落【００１７】）
　
（３）「【００１８】次に、このように構成された椅子１の使用状態について図３および図４を用いて説明する。
【００１９】このように構成された椅子１に着座者が着座して張り部材９にもたれると、張り部材９が弾性片９３ｕ、９３ｄとともに撓むように変形する。また、この椅子１の背もたれ部分を後傾させた場合、すなわち、ガススプリング９０をフリー状態にするとともにガススプリング９１を固定してリンク７と一体として背もたれフレーム５全体を後傾させた場合（図３）や、また、ガススプリング９０を固定状態にするとともにガススプリング９１をフリー状態にして背もたれ上部フレーム５５のみを軸８を中心として後傾させた場合（図４）についても、張り部材９や弾性片９３ｕ、９３ｄに対する撓みを許容させる。そして、このような状態で着座者が腕を後下方に伸ばしてリフレッシュするような場合、この着座者の肘部分に接触する張り部材９や弾性片９３ｕ、９３ｄが変形して、その着座者のリフレッシュ動作に基づく肘の動きを許容できるようにしている。なお、このようなリフレッシュ動作に限らず、この着座者が椅子１の後方に振り返って荷物などを取るような動作をする場合も同様に、この着座者の肘部分に接触する張り部材９や弾性片９３ｕ、９３ｄを変形できるようにしている。」（段落【００１８】〜段落【００１９】）
　
（４）連結部５５ｕは、背面図である図２では直線状であり、上斜めからの斜視図である図１では上に凸であることから、後方に向けて凸となるように湾曲するといえる。（図１及び２）
　
（５）肩縦フレーム部分５７の中間部から上端は、連結部５５ｄよりも上方において、後方へ屈曲すること。（図１、３及び４）
　
（６）着座フレーム４は、背もたれ上部フレーム５５及び背もたれ下部フレーム５０の後傾に連動して、後下方へ移動すること。（図３）
　
（７）記載事項（１）、（３）及び（６）からみて、椅子１は、着座フレーム４を背もたれフレーム５全体からなる背もたれ部分と連動してロッキング動作可能であると認められる。
　　
　これらの記載事項及び図示内容を総合し、本件特許発明１の記載ぶりに則って整理すると、甲第２号証には、次の発明が記載されている。
　
「ベース脚２の上端に設けた支基３にリンク６とリンク７とを設けるとともに着座部の着座フレーム４を前記リンク６とリンク７とに接続し、前記支基３、前記リンク６、前記着座フレーム４、及び、前記リンク７を構成要素とするリンク機構により着座部を背もたれフレーム５全体からなる背もたれ部分と連動してロッキング動作可能に構成した椅子１であって、
左右１対の縦フレーム部分５６と、前記背もたれ部分の上部に位置させてこれら縦フレーム部分５６をつなぐように横架させた連結部５５ｄとを有する背もたれ上部フレーム５５の前面に、身体接触面を形成する張り部材９を前記連結部５５ｄから離間させた状態で取り付けるようにしており、
後方に向けて凸となるように湾曲した背もたれ部分の上端と、
側面視において、前記背もたれ部分の張り部材９の上端を支持する肩縦フレーム部分５７及び連結部５５ｕが、前記連結部５５ｄよりも上方において後方に屈曲している椅子１。」
　
　３　甲第３号証
　甲第３号証は、社団法人日本デザイン保護協会が請求人宛に作成した「カタログの公知日証明書」であり、以下の記載がある。
　
（１）「株式会社岡村製作所殿が寄託申請した下記のカタログは、社団法人日本デザイン保護協会が２００２年１２月９日付で受け入れ、同日より公開し、閲覧に供しました。」
　
（２）「１．カタログの名称
　　　　　　　『オカムラ　総合カタログ　２００３』
　　　　２．カタログの発行者
　　　　　　　株式会社岡村製作所
　　　　３．カタログの受入日
　　　　　　　２００２年１２月９日
　　　　４．寄託番号
　　　　　　　Ｃ２００２０１０２５
　　　　５．公開日
　　　　　　　２００２年１２月９日」　　　　　
　
第６　対比
　１　本件特許発明１
　まず、本件特許発明１を検討する。
　本件の事案に鑑み、本件特許発明１と甲第２号証に記載された発明とを対比すると、　
　後者の「ベース脚２」は前者の「脚」に相当し、以下同様に、「支基３」は「座支持部」に、「リンク６」は「第１リンク要素」に、「リンク７」は「第２リンク要素」に、「着座部」は「座」に、「着座フレーム４」は「座受」に、「背もたれフレーム５全体からなる背もたれ部分」は「背もたれ」に、「椅子１」は「椅子」に、「縦フレーム部分５６」は「縦杆」に、「連結部５５ｄ」は「横杆」に、「背もたれ上部フレーム５５」は「背もたれフレーム」に、「身体接触面」は「背もたれ面」に、「張り部材９」は「張り部材」に、「肩縦フレーム部分５７及び連結部５５ｕ」は「枠材」にそれぞれ相当する。
　
　したがって、両者は、 
「脚の上端に設けた座支持部に第１リンク要素と第２リンク要素とを設けるとともに座の座受を前記第１リンク要素と第２リンク要素とに接続し、前記座支持部、前記第１リンク要素、前記座受、及び、前記第２リンク要素を構成要素とするリンク機構により座を背もたれと連動してロッキング動作可能に構成した椅子であって、
左右１対の縦杆と、前記背もたれの上部に位置させてこれら縦杆をつなぐように横架させた横杆とを有する背もたれフレームの前面に、背もたれ面を形成する張り部材を前記横杆から離間させた状態で取り付けるようにしており、
後方に向けて凸となるように湾曲した背もたれの上端と、
側面視において、前記背もたれの張り部材の上端を支持する枠材が、前記横杆よりも上方において後方に屈曲している椅子。」
　である点で一致し、以下の点で相違している。  
　
〔相違点１〕
　本件特許発明１は、「前記横杆に、後方に向けて凸となるように湾曲したハンガー本体とハンガー支柱とを具備するハンガー部をハンガー取り付け具を介して取り付ける」のに対し、
　甲第２号証に記載された発明の横杆が、かかる構成を備えていない点。
　
〔相違点２〕
　本件特許発明１は、「前記ハンガー支柱がこのハンガー取り付け具の後部から上方に延伸させて設けられたものであり、このハンガー支柱の上端に設けられたハンガー本体を」背もたれの上端「から後上方に離間した場所に位置させて」いるのに対し、
　甲第２号証に記載された発明が、かかる構成を備えていない点。
　
〔相違点３〕
　本件特許発明１は、「平面視において、前記ハンガー本体の前面の湾曲度合を、前記背もたれの上端の湾曲度合よりも大きくすることによって、平面視における前記ハンガー本体の両端部と前記背もたれの上端との間に形成される隙間が前記ハンガー本体の中央部と前記背もたれの上端との間に形成される隙間よりも狭くなるように設定されている」のに対し、
　甲第２号証に記載された発明が、かかる構成を備えていない点。
　
　２　本件特許発明２ないし６
　次に、本件特許発明２ないし６を検討する。
　本件特許発明２ないし６と甲第２号証に記載された発明とを各々対比すると、本件特許発明１での一致点及び相違点に加えて、本件特許発明２ないし６は、各々対応する請求項２ないし６に記載された事項を備える点でさらに相違する。
　
第７　当審の判断
　１　本件特許発明１
（１）甲第１号証の頒布日
　甲第１号証のカタログ名、発行所、表紙の印影及び文字（前記第５の１）と甲第３号証が証明しようとするカタログ名、発行者、受入日、寄託番号（前記第５の３）が整合していることからみて、甲第１号証は、本件出願のもとの特許出願の出願前に頒布されたと認められる。
　
（２）相違点１
　本件特許発明１と甲第１号証のコンテッサに係る発明とを対比すると、後者の「アルミフレームの縦部材」は前者の「縦杆」に相当し、以下同様に、「アルミフレームの水平部材」は「横杆」に、「アルミフレーム」は「背もたれフレーム」に、「ハンガーの水平部材」は「ハンガー本体」に、「ハンガーの縦部材」は「ハンガー支柱」に、「ハンガー」は「ハンガー部」にそれぞれ相当する。
　
　そうすると、甲第１号証のコンテッサに係る発明は、次のように言い換えることができる。
　
「ロッキング動作可能な椅子であって、
　左右一対の縦杆と、これら縦杆をつなぐように横架した横杆とを有する背もたれフレームと、
　横杆に、湾曲したハンガー本体と、横杆に後斜め上方に向けて傾斜させて取り付けられ中間部で屈曲し上方に延びるハンガー支柱とを具備するハンガー部を取り付け、
　前記ハンガー支柱が横杆から上方に設けられたものであり、
　前記ハンガー支柱の上端に設けられたハンガー本体を背もたれの上端から上方に離間した場所に位置させること。」
　
　また、甲第１号証のコンテッサに係る発明の「横杆（アルミフレームの水平部材）」は、その構造及び機能からみて、甲第２号証に記載された発明の「横杆（連結部５５ｄ）」に相当する。
　
　そうしてみると、甲第２号証に記載された発明の「横杆」に、甲第１号証のコンテッサに係る発明の「横杆に、湾曲したハンガー本体と、横杆に後斜め上方に向けて傾斜させて取り付けられ中間部で屈曲し上方に延びるハンガー支柱とを具備するハンガー部を取り付け」ることを適用して、甲第２号証に記載された発明の「横杆に」「ハンガー本体とハンガー支柱とを具備するハンガー部を」「取り付ける」ようにすることは、当業者が容易に想到し得たことである。
　
　その際、甲第１号証のコンテッサにおいて「ハンガーの水平部材」が「アルミフレームの水平部材及び背もたれの上端と間隔をあけて略同様の方向に湾曲する」ことで「スタイリッシュなハンガー」とすることに倣い、甲第２号証に記載された発明の「背もたれの上端」が「後方に向けて凸となるように湾曲」することにあわせて、ハンガー本体を「後方に向けて凸となるように湾曲」させることは、当業者が容易になし得たことである。
　
　さらに、ハンガー部を「ハンガー取り付け具を介して」取り付けることは、甲第１号証のフィーゴに係る発明の「ハンガー取り付け具」に基づいて、当業者が容易になし得る程度の設計変更である。
　
（３）相違点２
　ア　まず、相違点２に係る本件特許発明１の特定事項のうち「ハンガー支柱の上端に設けられたハンガー本体を」背もたれの上端「から後上方に離間した場所に位置させ」る点を検討する。
　
　本件特許発明１と甲第１号証のフィーゴに係る発明とを対比すると、後者の「ハンガーの水平部材」は前者の「ハンガー本体」に相当し、同「ハンガーの縦部材」は同「ハンガー支柱」に、同「ハンガー」は同「ハンガー部」にそれぞれ相当する。
　
　そうすると、甲第１号証のフィーゴに係る発明は、次のように言い換えることができる。
　
「背もたれの背面に、湾曲したハンガー本体と、下端から中間部にかけて上方へ延び、中間部で屈曲し上端にむけて後方かつ左右それぞれの側へ延びる２本の直線部分を有したＵ字状のハンガー支柱とを具備するハンガー部をハンガー取り付け具を介して取り付け、
　前記ハンガー支柱の２本の直線部分の上端に設けられたハンガー本体を背もたれの上端から後上方に離間した場所に位置させた椅子。」
　
　そして、甲第１号証のフィーゴに係る発明の「ハンガー本体を背もたれの上端から後上方に離間した場所に位置させる」ことは、甲第１号証のフィーゴに関する「ハンガー使用状態において、上着は背もたれの上端より後方で、背もたれの背面に沿って掛止される」との開示（前記第５の１（１８））からみて、上着に無用な屈曲や弛みを発生させないで上着を掛けるためのものといえる。
　
　そうすると、甲第１号証のコンテッサに係る発明は、ハンガー本体を背もたれの上端から上方に離間した場所に位置させるものであるから、上記「（２）相違点１」で述べた、甲第２号証に記載された発明に甲第１号証のコンテッサに係る発明を適用して「横杆に」「ハンガー本体とハンガー支柱とを具備するハンガー部を」「取り付ける」ようにするにあたり、同じく甲第１号証に記載された甲第１号証のフィーゴに係る発明の「ハンガー本体を背もたれの上端から後上方に離間した場所に位置させる」ことを適用して、「ハンガー支柱の上端に設けられたハンガー本体を」背もたれの上端「から後上方に離間した場所に位置させ」ることは、当業者が容易になし得たことである。
　
　イ　次に、同「ハンガー支柱がこのハンガー取り付け具の後部から上方に延伸させて設けられた」点を検討する。
　
　甲第１号証のコンテッサに係る発明の「ハンガー支柱」は、「横杆に後斜め上方に向けて傾斜させて取り付けられ中間部で屈曲し上方に延びる」ことで、「ハンガー本体を背もたれの上端から上方に離間した場所に位置させる」ものといえる。また、甲第１号証のフィーゴに係る発明の「ハンガー支柱」も、「下端から中間部にかけて上方へ延び、中間部で屈曲し上端にむけて後方かつ左右それぞれの側へ延びる２本の直線部分を有」することで、「ハンガー本体を背もたれの上端から後上方に離間した場所に位置させる」ものといえる。
　
　一方、本件特許発明１は、ハンガー取り付け具の後部からハンガー支柱を上方に延伸させことで、横杆よりも上方において後方に屈曲する枠材の上端によって構成される背もたれの上端から後上方に離間した場所にハンガー本体を位置させるものである。
　
　そうしてみると、ハンガー本体を背もたれの上端から離間させる手段において、本件特許発明１のハンガー取り付け具の後部からハンガー支柱を上方に延伸させことは、甲第１号証のコンテッサに係る発明及び甲第１号証のフィーゴに係る発明のハンガー支柱が中間部で屈曲することと異なるものである。
　
　したがって、本件特許発明１の「ハンガー支柱がこのハンガー取り付け具の後部から上方に延伸させて設けられた」点は、甲第１号証及び甲第２号証に記載や開示されておらず、しかも、甲第１号証及び甲第２号証に記載や開示から当業者が容易に想到し得たとはいえない。
　
　請求人は、相違点２に係る本件特許発明１の事項は、甲第１号証に記載ないし開示されると主張するが、前述のとおりであるから、採用できない。　　
（４）相違点３
　相違点３に係る本件特許発明１の特定事項について検討するに、甲第１号証のコンテッサ及びフィーゴのハンガーの水平部材が「背もたれの上端と間隔をあけて略同様の方向に湾曲する」ものであるとしても、当該事項は、甲第１号証及び甲第２号証に記載ないし開示されていない。
　
　請求人は、甲第１号証のコンテッサにおいて開示されている、或いは、甲第１号証のコンテッサをみた当業者には、当該事項を読み取ることができると主張しているので、それについてさらに検討する。
　
　ア　甲第１号証の２１７ページ右側上から４段目中央にある「ハンガー（オプション）」の写真は、コンテッサを後ろ上方やや側方から撮影した写真であるから、甲第１号証の他の写真や図面と併せみても、「平面視において、前記ハンガー本体の前面の湾曲度合を、前記背もたれの上端の湾曲度合よりも大きくすること」を推認することができない。
　
　イ　請求人は、一般的な椅子の背もたれの湾曲度合と、前面と後面の湾曲度合いが異なる一般的なハンガーの前面の湾曲度合から、背もたれの上端よりもハンガー前面の湾曲度合の方が当然に大きくなると述べているが、甲第１号証のコンテッサに係る発明のハンガー部が前面と後面の湾曲度合が異なる一般的なハンガーであることを伺わせる記載や示唆はなく、相違点３に係る背もたれの上端との関係も示唆していない。なお、甲第１号証には、コンテッサのハンガーについて「スタイリッシュなハンガー」との記載があるが、この記載も両端部の隙間が狭くなる関係を示唆しない。
　
　ウ　請求人が、本件に係る手続において提出した参考文献のうち、実開平６−１１５４９号公報、登録実用新案第３０２２６３８号公報、登録実用新案第３０４９２３８号公報、特開平９−７５１７０号公報、意匠登録第１０３２８０３号公報の各公報に開示された椅子の背もたれ及びハンガーの構造は、背もたれが肉厚で離間したアルミフレームを備えない点、背もたれの上端が直線状である点、ハンガー本体が肉厚である点、又は自動車用ハンガーである点で、甲第１号証のコンテッサが、メッシュ素材の背もたれからなり、当該背もたれの背面側に離間して左右一対のアルミフレームの縦部材及び湾曲したアルミフレームの水平部材を設け、当該背もたれの上端が後上方に向けて凸となるように湾曲し、当該アルミフレームの水平部材に、中間部で屈曲したハンガーの縦部材を介してハンガーの水平部材を備える点と異なり、また、甲第１号証のコンテッサが「スタイリッシュなハンガー」を指向する点とも異なっているので、これらの公報に記載された事項を、直ちに甲第１号証のコンテッサの解釈に用いることができないから、甲第１号証のコンテッサの背もたれの上端とハンガー本体の前面との湾曲度合を推認することができない。
　また、その他の参考文献も同様である。
　
　前述のとおりであるから、相違点３に係る本件特許発明１の特定事項は、甲第１号証のコンテッサに開示され或いは甲第１号証のコンテッサから読み取ることはできず、また、当業者が容易に想到し得たともいえない。
　
　そして、本件特許発明１は、横杆よりも上方において後方に屈曲する枠材の上端によって構成される背もたれの上端が、後方に向けて凸となるように湾曲し、ハンガー本体も後方に向けて凸となるように湾曲することを前提として、相違点３に係る本件特許発明１の特定事項を有する点で、甲第１号証及び甲第２号証に記載ないし開示されない特有の構成を備えるものである。
　
（５）小括
　したがって、本件特許発明１は、甲第１号証に記載された発明及び甲第２号証に記載された発明に基いて、当業者が容易に想到し得たということができない。　
　
　２　本件特許発明２ないし６
（１）本件特許発明２
　本件特許発明２のうち「横杆に取り付け可能なハンガー取り付け具」とすることは、甲第２号証のコンテッサのハンガーが「オプション」（前記第５の１（７））であることに基づいて、当業者が容易になし得たことである。　しかしながら、本件特許発明２は、本件特許発明１の発明特定事項をすべて包含したものであるから、甲第１号証に記載された発明及び甲第２号証に記載された発明に基いて、当業者が容易に想到し得たということができない。　
　
（２）本件特許発明３
　本件特許発明３のうち「ハンガー本体を、前記背もたれフレームよりも後方に配置している」ことは、甲第１号証のフィーゴのハンガーが「使用状態において、上着は背もたれの上端より後方で、背もたれの背面に沿って掛止される」（前記第５の１（１８））ように、ハンガー本来の機能を実現するために、当業者が容易になし得たことである。
　しかしながら、本件特許発明３は、本件特許発明１の発明特定事項をすべて包含したものであるから、甲第１号証に記載された発明及び甲第２号証に記載された発明に基いて、当業者が容易に想到し得たということができない。　
　
（３）本件特許発明４
　本件特許発明４のうち「横杆に取り付け可能なハンガー取り付け具」及び「ハンガー本体を前記背もたれフレームの縦杆よりも後方に位置させている」ことは、それぞれ前記「（１）本件特許発明２及び（２）本件特許発明３」での検討と同様、当業者が容易になし得たことである。
　しかしながら、本件特許発明４のうち「ハンガー取り付け具後部から前記ハンガー支柱を上方に延伸させている」ことは、前記「（３）相違点２のイ」での検討と同様であり、本件特許発明４は、本件特許発明１の発明特定事項をすべて包含したものであるから、甲第１号証に記載された発明及び甲第２号証に記載された発明に基いて、当業者が容易に想到し得たということができない。　
　
（４）本件特許発明５
　本件特許発明５のうち「前記ハンガー支柱から前記ハンガー本体を左右に延伸させて設けているとともに、ハンガー本体の全幅寸法を背もたれの幅寸法と略同等とした」は、甲第１号証のフィーゴのにおける「ハンガーの縦部材からハンガーの水平部材を左右に延伸させて設けること」（前記第５の１（１９））及びハンガーの全幅寸法や背もたれの幅寸法が、それら本来の機能を実現するとき、人の肩幅と略同等になることに基づいて、当業者が容易になし得たことである。
　しかしながら、本件特許発明５は、本件特許発明１の発明特定事項をすべて包含したものであるから、甲第１号証に記載された発明及び甲第２号証に記載された発明に基いて、当業者が容易に想到し得たということができない。　
　
（５）本件特許発明６
　本件特許発明６のうち「前記ハンガー本体を、側面視において背もたれの上端における背もたれ面の延長上に配置している」は、甲第１号証のフィーゴのハンガーの水平部材が「上方へスライドさせて使用します。上下スライド７５ｍｍ」（前記第５の１（１１））に倣って、ハンガーの上下位置を調節可能とした結果得られる程度の設計的事項である。
　しかしながら、本件特許発明６は、本件特許発明１の発明特定事項をすべて包含したものであるから、甲第１号証に記載された発明及び甲第２号証に記載された発明に基いて、当業者が容易に想到し得たということができない。　
　
　３　まとめ
　よって、本件特許発明１ないし６は、甲第１号証に記載された発明及び甲第２号証に記載された発明に基いて、当業者が容易に発明をすることができたものとすることはできない。 
　 
第８　むすび
　以上のとおりであるから、請求人の主張及び証拠方法によっては、本件特許発明１ないし６の特許を無効とすることができない。 
　 
　審判に関する費用については、特許法第１６９条第２項で準用する民事訴訟法第６１条の規定により、請求人が負担すべきものとする。 
　 
　よって、結論のとおり審決する。